(57)【特許請求の範囲】
【請求項１】
主筐体と、可動筐体と、前記主筐体及び前記可動筐体を摺動自在に相互に係合するスライド係合手段と、前記主筐体、或いは前記可動筐体の一側面に配設され、前記スライド係合手段による前記主筐体と前記可動筐体との係止状態を解除する係止解除操作体と、前記係止解除操作体を内側から照光する照光部と、を具備する携帯電話機において、
前記係止解除操作体、前記主筐体或いは前記可動筐体の前記係止解除操作体配設部周囲、の少なくとも一部を、光透過性を有する材料で構成し、前記係止解除操作体操作時に、前記係止解除操作体の操作可否に応じて、前記照光部を点灯制御することを特徴とする携帯電話機。
【請求項２】
前記主筐体及び可動筐体の展伸位置を判別するため検知手段を更に有し、前記主筐体及び可動筐体の縮退、或いは展伸位置に応じて、前記照光部の点灯有無、光量、色、パターン（点灯時間、点灯/消灯間隔、点灯色変化）の少なくとも一つを制御することを特徴とする請求項１に記載の携帯電話機。
【請求項３】
発信者に応じた前記照光部の点灯制御情報を記憶する情報記憶部を更に有し、
発信者情報を参照して、前記照光部の点灯有無、光量、色、パターン（点灯時間、点灯/消灯間隔、点灯色変化）の少なくとも一つを制御することを特徴とする請求項１または２に記載の携帯電話機。
【請求項４】
前記係止解除操作体が複数の入力操作機能を有し、前記係止解除操作体の操作により発生する入力操作機能に応じて、前記照光部の点灯有無、光量、色、パターンの少なくとも一つを制御することを特徴とする請求項１乃至３のいずれかに記載の携帯電話機。
【請求項５】
前記照光部の点灯パターンは、点灯時間、点灯/消灯間隔、点灯色変化である
ことを特徴とする請求項１乃至４のいずれかに記載の携帯電話機。
【発明の詳細な説明】
【発明の属する技術分野】
【０００１】
本発明は、携帯電話機に関し特に利用者の操作性、利便性をより向上させる携帯電話機に関する。
【０００２】
【従来の技術】
これまで、携帯電話機としては、単一の本体で構成されるストレートタイプ以外にも、小形化の要求に対応するため、本体を２つのユニットで構成し両ユニットを結合部材で結合して折り畳み可能にした折り畳み構造や、スライド式構造が用いられている。このスライド式構造は、一般には主筐体（第１ユニット）と一部の機能部を実装した可動筐体（第２ユニット）を主筐体に対して長軸方向にスライド可能に結合して構成され、両ユニットが重なるように縮退させて携行し、通話時等には両ユニットを長軸方向に離間するようにスライドさせ展伸させて使用できるようにした構造を有する。
【０００３】
【発明が解決しようとする課題】
上述した従来の携帯電話機は、次のような問題点または課題を有する。すなわち、上述のようなスライド式構造を採用した携帯電話機は、一般に、主筐体（第１ユニット）と一部の機能部を実装した可動筐体（第２ユニット）を主筐体に対して長軸方向にスライド可能に結合して構成され、両ユニットが重なるように縮退させて携行し、通話時等には、係止解除操作体（ワンタッチスライドボタン）を操作することにより両ユニットを長軸方向に離間するようにスライドさせ展伸させて使用できるようにした構造を有する。
【０００４】
しかしながら、かかる構造の携帯電話機は、周囲が暗い環境下では、係止解除操作体（ワンタッチスライドボタン）の位置を視認できず、ボタン位置の瞬時の特定ができず、その後の操作がスムースに行なうことができないという問題がある。
【０００５】
そこで、本発明の目的は、主筐体及び可動筐体を摺動自在に相互に係合するスライド型の携帯電話機の主筐体と可動筐体との係止状態を解除する係止解除操作について、利用者の操作性、利便性をより向上させる携帯電話機を提供することにある。
【０００６】
【課題を解決するための手段】
前述の課題を解決するため、本発明による携帯電話機は、次のような特徴的な構成を採用している。
【０００７】
（１）主筐体と、可動筐体と、前記主筐体及び前記可動筐体を摺動自在に相互に係合するスライド係合手段と、前記主筐体、或いは前記可動筐体の一側面に配設され、前記スライド係合手段による前記主筐体と前記可動筐体との係止状態を解除する係止解除操作体と、前記係止解除操作体を内側から照光する照光部と、を具備する携帯電話機において、
前記係止解除操作体、前記主筐体或いは前記可動筐体の前記係止解除操作体配設部周囲、の少なくとも一部を、光透過性を有する材料で構成し、前記係止解除操作体操作時に、前記係止解除操作体の操作可否に応じて、前記照光部を点灯制御する携帯電話機。
【０００８】
（２）前記主筐体及び可動筐体の展伸位置を判別するため検知手段を更に有し、前記主筐体及び可動筐体の縮退、或いは展伸位置に応じて、前記照光部の点灯有無、光量、色、パターン（点灯時間、点灯/消灯間隔、点灯色変化）の少なくとも一つを制御する上記（１）の携帯電話機。
【０００９】
（３）発信者に応じた前記照光部の点灯制御情報を記憶する情報記憶部を更に有し、発信者情報を参照して、前記照光部の点灯有無、光量、色、パターン（点灯時間、点灯/消灯間隔、点灯色変化）の少なくとも一つを制御する上記（１）または（２）の携帯電話機。
【００１０】
（４）前記係止解除操作体が複数の入力操作機能を有し、前記係止解除操作体の操作により発生する入力操作機能に応じて、前記照光部の点灯有無、光量、色、パターンの少なくとも一つを制御する上記（１）乃至（３）のいずれかの携帯電話機。
【００１１】
（５）前記照光部の点灯パターンは、点灯時間、点灯/消灯間隔、点灯色変化である上記（１）乃至（４）のいずれかの携帯電話機。
【００１６】
【発明の実施の形態】
以下、本発明による携帯電話機の好適実施形態例を添付図、特に図面を参照しながら詳細に説明する。
【００１７】
図１及び図２には、本発明による携帯電話機の一実施形態例が示されている。図１及び図２に示す携帯電話機４００は、形状的には、表示部等が設けられた正面側ユニット１００と、メインの操作部等が設けられた裏面側ユニット２００の２つのユニットを、スライド機構により長軸方向にスライド自在に結合して構成されている。
【００１８】
図１（ａ）は、正面側ユニット１００と裏面側ユニット２００を重ねた縮退状態（収納状態）での携帯電話機４００の側面図を、図１（ｂ）は同じく正面図を示している。また、図２（ａ）は、正面側ユニット１００が裏面側ユニット２００に対して長軸方向上方にスライドした展伸状態（使用状態）での携帯電話機４００の背面図、図２（ｂ）は同じく側面図、図２（ｃ）は正面図を示している。
【００１９】
正面側ユニット（第１のユニット）１００は、平面形状略矩形をした所定厚みを有し、正面側の表面（以下、第１主表面１００Ａと称する）に大型の表示部（ＬＣＤ表示器）１０１、副操作部１０２、受話部（スピーカ）１０３を有し、反対側の表面（以下、第１副表面１００Ｂと称する）には光学機能部である電子撮像装置（ＣＣＤカメラ）１０４と指紋認証部１０５の光学開口部（センサ部）が配設されている。また、マグネット１０６が第１副表面１００Ｂ側の適宜位置に配設されている。なお、表示部１０１にはタッチパネル機構１０７を組み込むこともできる。
【００２０】
裏面側ユニット（第２のユニット）２００は、正面側ユニット１００と略同じ平面形状で、正面側ユニット１００の裏側にスライド自在に取付けられ、その正面側表面（以下、第２主表面２００Ａと称する）の下側部分に主操作部２０１、送話部（マイクロホン）２０２を、また側面の一方に係止解除操作体（ワンタッチスライドボタン）３０１を有する。裏面側ユニット内部には、その他の後述する電気回路が収容されている。
【００２１】
なお、係止解除操作体（ワンタッチスライドボタン）３０１及び裏面側ユニット２００の係止解除操作体（ワンタッチスライドボタン）３０１の配設部周囲は、光透過性を有する材料として、例えば、透明又は半透明の樹脂、シリコンゴム等で構成されている。
【００２２】
両ユニットは、携帯電話機内部に配設された付勢手段により通常時は長軸方向に互いに離れるように（展伸するように、つまり図２の状態を維持するように）付勢されており、両ユニットが重なった状態（縮退状態）において、付勢手段に抗して両ユニットを係止する係止手段（ロック機構）が備えられている。この係止手段の係止は、裏面側ユニットの一方の側面に配設された係止解除操作体３０１を操作することにより解除される。
【００２３】
本実施形態では、係止解除操作体３０１をスライド操作すると、縮退状態（収納状態）にある正面側ユニット１００と裏面側ユニット２００とのロック機構が解除されて、付勢手段によって正面側ユニット１００が、裏面側ユニット２００に対し上方にスライドして自動的に正面側ユニットと裏面側ユニットが開いた使用状態となる。なお、係止解除操作体３０１を押下することによりロック機構が解除されるように構成することも容易である。
【００２４】
ここで、本実施形態による携帯電話機では、２つのユニットが縮退状態にあるか展伸状態にあるかを判別するために、正面側ユニット１００には適宜位置に図示しないマグネット１０６が配設してあり、他方裏面側ユニット２００には、例えば縮退状態で前記マグネット１０６に対向する位置にホール素子等の磁気センサ２１０が配設してある。縮退状態ではマグネット１０６の磁界により磁気センサ２１０から所定出力が得られることから縮退状態を検知することができる。
【００２５】
上述のように、本実施形態による携帯電話機では、表示部及び受話器のある正面側ユニット（第１のユニット）の裏面に主操作部のある裏面側ユニット（第２のユニット）が重なって係止された縮退時（図１参照）に、裏面側ユニットの係止解除操作体３０１をスライドさせるワンタッチ操作にて、表示部のある正面側ユニットが裏面側ユニットから上方向にスライドして展伸状態（図２参照）となり、主操作部が表出するとともにマイクロホンと受話器の距離が適切になり、各種操作や音声通話が可能になる。
【００２６】
本発明は、上述スライド機構に限定されるものではなく、他の任意のスライド機構にも適用可能であることは明らかである。例えば、図３乃至図１０に示すような、適宜のスライド機構により長軸方向にスライド自在に結合される構成としても良い。図３（ａ）、（ｂ）及び（ｃ）と図４（ａ）、（ｂ）及び（ｃ）、図５（ａ）、（ｂ）及び（ｃ）と図６（ａ）、（ｂ）及び（ｃ）、図７（ａ）、（ｂ）及び（ｃ）と図８（ａ）、（ｂ）及び（ｃ）、図９（ａ）、（ｂ）及び（ｃ）と図１０（ａ）、（ｂ）及び（ｃ）は、それぞれ展開状態と縮退状態を示す背面図、側面図及び正面図である。図中の符号は、図１や図２に示す符号に相当するもので、´や小文字と大文字のアルファベットが付されているものは機能、構成上同じものである。
【００２７】
次に、上述実施形態による携帯電話機の電気回路部等について説明する。図１１は本実施形態による携帯電話機の電気回路部の概略構成ブロック図である。図１１に示すように、本実施形態による携帯電話機は、表示器（液晶ディスプレイ：ＬＣＤ）１０１、副操作部（副操作キー）１０２、受話器（スピーカ）１０３、電子撮像装置（ＣＣＤカメラ）１０４、指紋認証装置１０５、正面側ユニットと裏面側ユニットとの相対位置（展伸状態）を検出するためのマグネット１０６、表示器１０１の表面に組み込まれたタッチパネル機構１０７を含み構成されている。これらの各機能部は正面側ユニット１００に実装されている。
【００２８】
更に、本実施形態による携帯電話機は、アンテナ２０３、ＲＦ回路２０４、変復調回路２０５、ベースバンド処理回路２０６、コーディック回路２０７、制御部２０８、マイクロホン２０２、主操作部（操作キー）２０１、報知手段２０９、画像処理部２１５、認証処理部２１６、そして前記マグネット１０６に対応させた磁気センサ（ホール素子）２１０を含んで構成されている。
【００２９】
制御部２０８は、磁気センサ２１０の出力に基づき両ユニットの縮退・展伸状態を判別する展伸検出部２１１、表示を制御する表示制御部２１２、両ユニットの縮退・展伸状態に対応した着信制御動作も可能な着信・終話制御部２１３、縮退・展伸状態に対応した着信時報知動作も制御可能な報知制御部２１４、そして前記画像処理部２１５及び認証処理部２１６からの信号を変換する信号変換回路２１７を有して構成されている。
【００３０】
ＲＦ回路２０４は、図示しない受信回路と、送信回路と、周波数シンセサイザとを有する。主操作部２０１を構成する操作キーは、周知の送信キー、英字／カナ／漢字／数字の変換キー、電源のオン／オフキー、カーソル操作を行う十文字キー、終了キー等である。これらの各機能部は、裏面側ユニット２００内あるいはその表面に実装されている。図７に示した実施例の電気回路部を構成している個々の部分については、既知のもので良く、詳細な説明は省略する。
【００３１】
なお、本実施形態による携帯電話機では、正面側ユニットの第１主表面１００Ａには、副操作部１０２が設けられ、正面側ユニットと裏面側ユニットが重なった状態で、表示部の表示内容を視認しながらこれに関連するメール操作、画像操作、着信操作等の操作が可能になっている。
【００３２】
更に、図１２に示す概略ブロック図を参照すると、内側から係止解除操作体（ワンタッチスライドボタン）３０１及び裏面側ユニット２００の係止解除操作体（ワンタッチスライドボタン）３０１の配設部周囲を照光する発光素子の一例として、ＬＥＤ２５１と、電話帳情報、係止解除操作体（ワンタッチスライドボタン）３０１等による各種入力操作機能の設定情報、正面側ユニット１００及び裏面側ユニット２００の相対位置、等に応じたＬＥＤの点灯制御情報を記憶する情報記憶部２５２を備えている。
【００３３】
次に、本実施形態による携帯電話機の概略動作を説明する。この携帯電話機の通話機能やデータ送受信機能については、周知の技術と同様でよいため、全体についての詳しい説明は省略あるいは簡略にし、主として本発明に関連が深い動作について説明する。
【００３４】
待ち受け時、受信回路は、自機に対して着呼を通知する信号を検出したときには、着呼があることを制御部２０８に通知する。制御部２０８は、受信回路からの自機に対する着呼があることの通知を受けて、呼び出しベルやバイブレータ等の報知手段２０９を駆動させて自機に着呼があることをユーザに通知する。
【００３５】
このときに、内側から係止解除操作体（ワンタッチスライドボタン）３０１及び裏面側ユニット２００の係止解除操作体（ワンタッチスライドボタン）３０１の配設部周囲を照光するＬＥＤ２５１の点灯制御を行なう。すなわち、着信呼び出し時に、ＬＥＤ２５１を点灯させることで、係止解除操作体（ワンタッチスライドボタン）を発光させる。また、予め情報記憶部２５２に、受信した発信者番号に応じたＬＥＤ２５１の点灯有無、光量、色、パターン（点灯時間、点灯/消灯間隔、点灯色変化）の制御情報を記憶しておき、点灯制御を行なうようにする。
【００３６】
ここで、２つのユニットが縮退状態にあるか展伸状態にあるか、また、展伸状態を段階的に検出可能なように成されている場合には、展伸位置としてどの位置にあるのかをマグネット１０６、磁気センサ２１０で検出し、該検出結果に応じたＬＥＤ２５１の点灯制御情報を予め情報記憶部２５２に記憶しておくことにより、ＬＥＤ２５１の点灯有無、光量、色、パターン（点灯時間、点灯/消灯間隔、点灯色変化）の制御を行なう。例えば、２つのユニットに着信時に発光する（照光される）部位を複数設けた場合には、裏面側ユニット２００が隠れ、目視できる発光（照光）部位が最少の縮退状態におけるＬＥＤ２５１の光量を最大にしておけば、利用者への利便性が図れるし、目視できる発光（照光）部位の量に応じてＬＥＤ２５１の光量を低減させていけば、バッテリーの節約になる。
【００３７】
また、着呼時に係止解除操作体（ワンタッチスライドボタン）３０１を最初に操作した際に発生する機能として、オフフック、着信音停止、着信音低減、２つのユニットのスライド、応答保留等を２つのユニットが縮退状態にある場合/展伸状態にある場合の各々について任意に設定可能であり、該設定内容に応じて、ＬＥＤ２５１の点灯有無、光量、色、パターン（点灯時間、点灯/消灯間隔、点灯色変化）の制御を行なうようにすることができる。
【００３８】
或いは、係止解除操作体（ワンタッチスライドボタン）３０１による、縮退状態にある２つのユニットを展伸状態とする操作を不可にする（スライドロック状態とする）機構を有するものであれば、係止解除操作体（ワンタッチスライドボタン）３０１による操作可否に応じて、ＬＥＤ２５１の点灯制御を行なうようにする。すなわち、係止解除操作体（ワンタッチスライドボタン）３０１を操作しても、スライド等できない設定になっていれば、ＬＥＤ２５１を発光させる必要はなくなる。また、例えば、所定色の点灯を行なうことで、ロック状態を利用者に通知するようにする。
【００３９】
更に、着信時のＬＥＤ点灯は、通話着信時だけでなくメール着信時であっても良い。
【００４０】
以上、本発明による携帯電話機の好適実施形態例を説明したが、これは単なる例示にすぎず、特定用途に応じて種々の変形変更が可能であること勿論である。
【００４１】
【発明の効果】
上述の如く、本発明の携帯電話機によれば以下のような顕著な効果が得られる。すなわち、本発明では、スライド式構造を採用した携帯電話機のスライド時に、係止解除操作体（ワンタッチスライドボタン）を内側から発光させる構成を有するので、周囲が暗いときでも発光により視認性が向上、ボタン位置を瞬時に特定でき、その後の操作をスムースに行なうことができるという優れた効果を奏する。また、発信者情報、縮退/展伸状態、係止解除操作体（ワンタッチスライドボタン）の操作により生じる機能、係止解除操作体（ワンタッチスライドボタン）の操作可否により、ＬＥＤ２５１の点灯有無、光量、色、パターン（点灯時間、点灯/消灯間隔、点灯色変化）の制御を行なうように成されているので、利用者の利便性、操作性が向上するという優れた効果を奏する。
【図面の簡単な説明】
【図１】本発明による携帯電話機の正面側ユニットと裏面側ユニットを重ねた縮退状態（収納状態）での携帯電話機の側面図と正面図である。
【図２】本発明による携帯電話機における正面側ユニットが裏面側ユニットに対して長軸方向上方にスライドした展伸状態（使用状態）での携帯電話機の背面図、側面図及び正面図である。
【図３】本発明の実施形態で用い得るスライド機構の例の展開状態を示す図である。
【図４】図３に示す本発明の実施形態で用い得るスライド機構の例の縮退状態を示す図である。
【図５】本発明の実施形態で用い得るスライド機構の他の例の展開状態を示す図である。
【図６】図５に示す本発明の実施形態で用い得るスライド機構の例の縮退状態を示す図である。
【図７】本発明の実施形態で用い得るスライド機構の更に他の例の展開状態を示す図である。
【図８】図７に示す本発明の実施形態で用い得るスライド機構の例の縮退状態を示す図である。
【図９】本発明の実施形態で用い得るスライド機構の他の例の展開状態を示す図である。
【図１０】図９に示す本発明の実施形態で用い得るスライド機構の例の縮退状態を示す図である。
【図１１】本発明の実施形態による携帯電話機の電気回路部の概略ブロック図である。
【図１２】本発明の実施形態による携帯電話機の電気回路部の概略ブロック図である。
【符号の説明】
１００      正面側ユニット
１００Ａ    第１主表面
１００Ｂ    第１副表面
１０１      表示部（ＬＣＤ表示器）
１０２      副操作部
１０３      受話部（スピーカ）
１０４      電子撮像装置（ＣＣＤカ
１０５      指紋認証部
１０６      マグネット
１０７      タッチパネル機構
２００      裏面側ユニット
２００Ａ    第２主表面
２０１      主操作部
２０２      送話部（マイクロホン）
２０３      アンテナ
２０４      ＲＦ回路
２０５      変復調回路
２０６      ベースバンド処理回路
２０７      コーディック回路
２０８      制御部
２０９      報知手段
２１０      磁気センサ（ホール素子）
２１１      展伸検出部
２１２      表示制御部
２１３      着信・終話制御部
２１４      報知制御部
２１５      画像処理部
２１６      認証処理部
２１７      信号変換回路
２５１      ＬＥＤ
２５２      情報記憶部
３０１      係止解除操作体（ワンタッチスライドボタン）
４００      携帯電話機
【図１】
0004055116.tif 000002
【図２】
0004055116.tif 000003
【図３】
0004055116.tif 000004
【図４】
0004055116.tif 000005
【図５】
0004055116.tif 000006
【図６】
0004055116.tif 000007
【図７】
0004055116.tif 000008
【図８】
0004055116.tif 000009
【図９】
0004055116.tif 000010
【図１０】
0004055116.tif 000011
【図１１】
0004055116.tif 000012
【図１２】
0004055116.tif 000013